(57)【要約】【課題】耐摩耗性能の悪化をもたらすブロック剛性の大幅な低下を招くことなしに、接地面内の泥はけ性を有効に向上させ得る重荷重用空気入りタイヤを提供する。【解決手段】トレッド踏面１に、トレッド周方向に連続して延びる周溝２と、トレッド幅方向に互いに隣接する該周溝２のそれぞれに開口する横断溝５とで区画されるブロック６を有する空気入りタイヤであって、前記ブロック６に、該ブロック６に隣接する前記周溝２の溝深さより浅い平均溝深さを有する一本以上の浅溝７〜９を設け、該浅溝７〜９の前記平均溝深さを、前記周溝２の溝深さの２０％より大きく、かつ、該周溝２の溝深さの８０％未満とするとともに、該浅溝７〜９の少なくとも一本を、該ブロック６に隣接する前記周溝２及び前記横断溝５の少なくとも一方に開口させてなる。【選択図】図１
2014008904.tif 000002
【特許請求の範囲】
【請求項１】
トレッド踏面に、トレッド周方向に連続して延びる二本以上の周溝と、トレッド幅方向に互いに隣接する該周溝のそれぞれに開口する横断溝とで区画されるブロックを有する空気入りタイヤであって、
前記ブロックに、該ブロックに隣接する前記周溝の溝深さより浅い平均溝深さを有する一本以上の浅溝を設け、該浅溝の前記平均溝深さを、前記周溝の溝深さの２０％より大きく、かつ、該周溝の溝深さの８０％未満とするとともに、該浅溝の少なくとも一本を、該ブロックに隣接する前記周溝及び前記横断溝の少なくとも一方に開口させてなる重荷重用空気入りタイヤ。
【請求項２】
前記浅溝を、前記ブロックのトレッド周方向の両側のそれぞれに隣接する前記横断溝の少なくとも一方に開口する周方向浅溝とし、該周方向浅溝を、他方の前記横断溝にも開口させてなる、請求項１に記載の重荷重用空気入りタイヤ。
【請求項３】
前記ブロックに、二本以上の前記浅溝を設け、該二本以上の浅溝を、該ブロックのトレッド周方向の両側のそれぞれに隣接する前記横断溝の少なくとも一方に開口する周方向浅溝と、該周方向浅溝よりトレッド周方向に対する傾斜角度の大きい幅方向浅溝とで構成してなる、請求項１または２に記載の重荷重用空気入りタイヤ。
【請求項４】
前記周方向浅溝を二本以上設けてなる、請求項２または３に記載の重荷重用空気入りタイヤ。
【請求項５】
前記周溝を、トレッド周方向に向けてジグザグ状に延びるジグザグ周溝としてなる、請求項１〜４のいずれかに記載の重荷重用空気入りタイヤ。
【請求項６】
前記横断溝が、該横断溝の延在途中で折れ曲がる屈曲部を有してなる、請求項１〜５のいずれかに記載の重荷重用空気入りタイヤ。
【請求項７】
前記ブロックのトレッド周方向の最大長さＬｂと、該ブロックに設ける前記浅溝の、トレッド周方向のそれぞれの最外側に位置する周方向外端点の相互間の周方向距離Ｌｍとが、
Ｌｍ／Ｌｂ＞０．２５
の関係を満たすものとしてなる、請求項１〜６のいずれかに記載の重荷重用空気入りタイヤ。
【請求項８】
前記ブロックの外周縁に囲まれる領域の面積Ａｂと、該ブロックに設ける浅溝の総溝面積Ａｍとが
Ａｍ／Ａｂ＞０．２０
の関係を満たすものとしてなる、請求項１〜７のいずれかに記載の重荷重用空気入りタイヤ。
【請求項９】
前記ブロックのエッジの、トレッド幅方向への投影長さＥｂと、前記浅溝のエッジの、トレッド幅方向への投影長さＥｍとが、
Ｅｍ／Ｅｂ＞０．８
の関係を満たすものとしてなる、請求項１〜８のいずれかに記載の重荷重用空気入りタイヤ。
【発明の詳細な説明】
【技術分野】
【０００１】
この発明は、トレッド踏面に、トレッド周方向に連続して延びる二本以上の周溝と、トレッド幅方向に互いに隣接する該周溝のそれぞれに開口する横断溝とで区画されるブロックを有する重荷重用空気入りタイヤに関するものである。
【背景技術】
【０００２】
ダンプトラック等に用いられることのあるこの種の重荷重用タイヤとしては従来、たとえば特許文献１に記載されたものがあり、建設現場、鉱山その他で使用され得るこのダンプトラックは、降雨後に、固い地盤の上に数センチ程度の柔らかい粘土層が形成された泥濘地等の路面の走行に供されることがある。
【先行技術文献】
【特許文献】
【０００３】
【特許文献１】特開平１０−２７８５１３号公報
【発明の概要】
【発明が解決しようとする課題】
【０００４】
上述したような粘土層が形成された路面上を走行するに際しては、車輌に装着されたタイヤは、トレッド部が粘土層に完全に埋没することはないものの、トレッド踏面に設けた周溝の溝深さの数十％程度が埋まった状態で負荷転動することになるが、この場合、トレッド踏面と固い地盤との間の、柔らかい粘土層の存在の故に、トラクションフォース及びブレーキングフォースを路面に効率良く伝達させることが困難となる。
【０００５】
とくに、固い地盤上に堆積したこのような粘土層の泥は、タイヤの負荷転動に際し、トレッド踏面に設けたブロックの、先に接地する踏込み側の部分から、その後に接地する蹴出し側の部分へと押し出されることになって、その蹴出し側の部分で路面との間に蓄積するので、かかる路面では、ブロックの蹴出し側の部分でのブロックエッジによる引掻き効果を十分に発揮させることができない結果として、ブレーキングフォースの入力時に車輌がスリップするという問題があった。
そしてこのことは、たとえば、鉱山で使用されるダンプトラック等の走行速度の低下、ダンプトラック等による運搬作業の停滞を招いて、その作業能率を低下させるおそれがあった。
【０００６】
このことに対しては、トレッド踏面のエッジのトレッド幅方向成分を増やすことにより、柔らかい粘土層に対する大きな引掻き効果を発揮させることが有効とも考えられるが、単純に、トレッド踏面にトレッド幅方向に延びる溝を追加してブロックを分割することでエッジの幅方向成分を増加させても、接地面内のブロック表面と路面との間に残留する柔らかい粘土層の泥がタイヤをスリップさせるので、スリップ抑制効果を所期したほどに得ることができない。
また、接地面内の粘土層の泥を効率的に押し流すべく、トレッド周方向に連続して延びる周溝の本数を増やした場合は、該周溝によりブロックが細分化されてブロック剛性が低下し、耐摩耗性能に悪影響を及ぼすという他の問題がある。
【０００７】
この発明は、泥濘地の走行に供されることのある重荷重用空気入りタイヤが抱えるこのような問題を解決することを課題とするものであり、それの目的とするところは、耐摩耗性能の悪化をもたらすブロック剛性の大幅な低下を招くことなしに、接地面内の泥はけ性を有効に向上させ得る重荷重用空気入りタイヤを提供することにある。
【課題を解決するための手段】
【０００８】
この発明の重荷重用空気入りタイヤは、トレッド踏面に、トレッド周方向に連続して延びる二本以上の周溝と、トレッド幅方向に互いに隣接する該周溝のそれぞれに開口する横断溝とで区画されるブロックを有するものであって、前記ブロックに、該ブロックに隣接する前記周溝の溝深さより浅い平均溝深さを有する一本以上の浅溝を設け、該浅溝の前記平均溝深さを、前記周溝の溝深さの２０％より大きく、かつ、該周溝の溝深さの８０％未満とするとともに、該浅溝の少なくとも一本を、該ブロックに隣接する前記周溝及び前記横断溝の少なくとも一方に開口させてなるものである。
【０００９】
ここでいう「トレッド踏面」は、適用リムに組み付けるとともに規定内圧を充填したタイヤを、最大負荷能力に対応する負荷を加えた状態で転動させた際に、路面に接触することになる、タイヤの全周にわたる外周面を意味する。また、「トレッド端」は、前記トレッド踏面の、トレッド幅方向の最外位置をいう。
なおここで、「適用リム」とは、タイヤサイズに応じて下記の規格に規定された標準リムをいい、「規定内圧」とは、下記の規格において、最大負荷能力に対応して規定される空気圧をいい、「最大負荷能力」とは、下記の規格でタイヤに負荷されることが許容される最大の質量をいう。そして、その規格とは、タイヤが生産または使用される地域に有効な産業規格によって決められたものであり、例えば、アメリカ合衆国では、“ＴＨＥ  ＴＩＲＥ  ＡＮＤ  ＲＩＭ  ＡＳＳＯＣＩＡＴＩＯＮ  ＩＮＣ．（ＴＲＡ）のＹＥＡＲ  ＢＯＯＫ”であり、欧州では、“Ｔｈｅ  Ｅｕｒｏｐｅａｎ  Ｔｙｒｅ  ａｎｄ  Ｒｉｍ  Ｔｅｃｈｎｉｃａｌ  ＯｒｇａｎｉｚａｔｉｏｎのＳＴＡＮＤＡＲＤＳ  ＭＡＮＵＡＬ”であり、日本では、“日本自動車タイヤ協会のＪＡＴＭＡ  ＹＥＡＲ  ＢＯＯＫ”である。
【００１０】
また、上記の「溝深さ」は、タイヤを適用リムに組み付けるとともに規定内圧を充填した無負荷状態で、トレッド踏面への溝開口位置から溝底位置までを、タイヤ半径方向と平行に測定するものとする。
そして、浅溝の「平均溝深さ」とは、ブロックに設けた一本以上の浅溝の延在途中でそれの溝深さが異なる場合は、その浅溝の全長にわたる溝深さの平均値を意味するが、ブロックに、互いに溝深さの異なる二本以上の浅溝を設けた場合は、それらの浅溝のうちの少なくとも一本を、周溝の溝深さの２０％より大きく、かつ、該周溝の溝深さの８０％未満とする。
【００１１】
なお、この発明でいう「浅溝」は、トレッド接地面内で、対向する溝壁が互いに接触することなく、トレッド踏面に開口した状態となる程度の溝幅を有するものとする。ここで、「トレッド接地面」とは、タイヤを適応リムに組み付けて規定内圧を充填した状態の下で、最大負荷能力を負荷したときに路面に接触する、トレッド踏面の周方向の一部をいう。
【００１２】
ここで、この発明の重荷重用空気入りタイヤでは、前記浅溝を、前記ブロックのトレッド周方向の両側のそれぞれに隣接する前記横断溝の少なくとも一方に開口する周方向浅溝とし、該周方向浅溝を、他方の前記横断溝に開口させることが好ましい。
また、この発明の重荷重用空気入りタイヤでは、前記ブロックに、二本以上の前記浅溝を設け、該二本以上の浅溝を、該ブロックのトレッド周方向の両側のそれぞれに隣接する前記横断溝の少なくとも一方に開口する周方向浅溝と、該周方向浅溝よりトレッド周方向に対する傾斜角度の大きい幅方向浅溝とで構成することが好ましい。
このような周方向浅溝は、二本以上設けることが好ましい。
【００１３】
なお、この発明の重荷重用空気入りタイヤでは、前記周溝を、トレッド周方向に向けてジグザグ状に延びるジグザグ周溝とすることが好ましく、また、前記横断溝が、該横断溝の延在途中で折れ曲がる屈曲部を有することが好ましい。
【００１４】
上述した重荷重用空気入りタイヤにおいては、前記ブロックのトレッド周方向の最大長さＬｂと、該ブロックに設ける前記浅溝の、トレッド周方向の最外側に位置するそれぞれの周方向外端点の相互間の周方向距離Ｌｍとが、Ｌｍ／Ｌｂ＞０．２５の関係を満たすことが好ましい。また、この発明の重荷重用空気入りタイヤでは、前記ブロックの外周縁に囲まれる領域の面積Ａｂと、該ブロックに設ける浅溝の総溝面積Ａｍとが、Ａｍ／Ａｂ＞０．２０の関係を満たすことが好ましい。そしてまた、この発明の重荷重用空気入りタイヤでは、前記ブロックのエッジの、トレッド幅方向への投影長さＥｂと、前記浅溝のエッジの、トレッド幅方向への投影長さＥｍとが、Ｅｍ／Ｅｂ＞０．８の関係を満たすことが好ましい。
このような、ブロックの周方向最大長さＬｂ、浅溝の周方向外端点間の周方向距離Ｌｍ、ブロック外周縁に囲まれる領域の面積Ａｂ、浅溝の総溝面積Ａｍ、ブロックエッジの周方向投影長さＥｂ、及び、浅溝のエッジの周方向投影長さＥｍのそれぞれは、タイヤを適用リムに組み付けて規定内圧を充填した無負荷の状態で、トレッドパターンの展開図で見てトレッド踏面に沿って測定するものとする。
【発明の効果】
【００１５】
この発明の重荷重用空気入りタイヤによれば、ブロックに、隣接する周溝の溝深さの２０％より大きく、かつ該周溝の溝深さの８０％未満の平均溝深さを有する一本以上の浅溝を設けるとともに、該浅溝の少なくとも一本を、隣接する周溝及び横断溝の少なくとも一方に開口させたことにより、耐摩耗性能の悪化をもたらすブロック剛性の大幅な低下を招くことなしに、接地面内の泥はけ性を有効に向上させることができる。
【００１６】
ここで、この発明の重荷重用空気入りタイヤで、ブロックに設ける浅溝の平均溝深さを、周溝の溝深さの２０％より大きくし、かつ、該周溝の溝深さの８０％未満としている理由は、所要のブロック剛性を確保するとともに、泥はけ性を大きく高めるためである。
言い換えれば、浅溝の平均溝深さを、周溝の溝深さの２０％以下とした場合は、浅溝の平均溝深さが浅いことにより、接地面内のブロック表面に存在する泥を、浅溝内に十分に取り込むことができず、この一方で、浅溝の平均溝深さを、周溝の溝深さの８０％以上とした場合は、溝深さの深い浅溝の配設に起因して、ブロック剛性の低下を招く結果、耐摩耗性能が悪化することになる。
【００１７】
ここで、前記浅溝を、前記ブロックのトレッド周方向の両側のそれぞれに隣接する前記横断溝の少なくとも一方に開口する周方向浅溝とし、該周方向浅溝を、他方の前記横断溝にも開口させたときは、ブロック表面に存在する粘土層の泥が、ブロックに隣接するそれぞれの横断溝の少なくとも一方に開口する前記周方向浅溝を経て、蹴出し側の部分に蓄積することなく流れることになるので、接地面内の泥はけ性を一層高めることができる。それぞれの横断溝の双方に開口するこのような周方向浅溝は、各ブロックに二本以上設けることにより、泥はけ性のさらなる向上を実現することができる。
【００１８】
またここで、ブロックに設ける二本以上の浅溝を、該ブロックのトレッド周方向の両側のそれぞれに隣接する前記横断溝の少なくとも一方に開口する周方向浅溝と、該周方向浅溝よりトレッド周方向に対する傾斜角度の大きい幅方向浅溝とで構成したときは、上述したような、周方向浅溝による泥はけ性の向上効果を発揮させつつ、幅方向浅溝により増加するエッジのトレッド幅方向成分をもって、泥濘地に対する大きな引掻き効果を得ることができるので、泥濘地における走行性能をより有効に高めることができる。
【００１９】
なお、前記周溝を、トレッド周方向に向けてジグザグ状に延びるジグザグ周溝としたときは、直線状の周溝等に比してエッジの幅方向成分を増加させて、周方向の滑りに対して引掻き効果を高めることができる。
【００２０】
また、前記横断溝が、該横断溝の延在途中で折れ曲がる屈曲部を有するものとしたときは、屈曲部の近傍の溝壁面が、接地面内で互いの膨出変形を抑制し合うことになるので、エッジ部分の接地圧が高くなり、その結果として、引掻き効果をさらに高めることができる。
【００２１】
ところで、ブロックのトレッド周方向の最大長さＬｂと、該ブロックに設ける前記浅溝の、トレッド周方向の最外側に位置するそれぞれの周方向外端点の相互間の周方向距離Ｌｍとが、Ｌｍ／Ｌｂ＞０．２５の関係を満たすものとしたときは、接地面内のブロック表面の泥はけ性を有効に向上させることができる。
これはすなわち、Ｌｍ／Ｌｂ≦０．２５とした場合は、ブロックの周方向長さに対して、そのブロック内を延在する浅溝の周方向長さが短過ぎることにより、踏込み側の部分から蹴出し側の部分に向けて順次に接地していくブロックの接地時間に対して、浅溝内で泥が流れることのできる時間が短くなって、浅溝内に効果的に泥を取り込むことができず、その結果として、ブロック表面に残留する泥によって、スリップ抑制効果を十分に発揮できないおそれがある。
【００２２】
またここで、ブロックの外周縁に囲まれる領域の面積Ａｂと、該ブロックに設ける浅溝の総溝面積ＡｍとがＡｍ／Ａｂ＞０．２０の関係を満たすものとしたときは、ブロック表面の泥を取り込む浅溝の溝面積を確保して、接地面内の泥はけ性を大きく高めることができる。
つまり、Ａｍ／Ａｂ≦０．２０とした場合は、ブロックの表面積に対して、浅溝の溝面積が小さいことによって、ブロック表面の泥を浅溝内に十分に取り込むことができず、それにより、ブロック表面に残留する泥によって、スリップ抑制効果を十分に発揮できないおそれがある。
【００２３】
そしてまた、ブロックのエッジの、トレッド幅方向への投影長さＥｂと、前記浅溝のエッジの、トレッド幅方向への投影長さＥｍとが、Ｅｍ／Ｅｂ＞０．８の関係を満たすものとしたときは、ブロックへの浅溝の配設による、エッジの幅方向成分の増加により、泥濘地の走行時のトラクション性能及びブレーキング性能を大きく高めることができる。言い換えれば、Ｅｍ／Ｅｂ≦０．８とした場合は、上述したような、浅溝によってブロック表面の泥を取り込む機能を発揮させることはできるものの、浅溝のエッジの幅方向成分がそれほど増加しないことから、浅溝によるエッジ効果を所期したほどに得ることができない懸念がある。
【図面の簡単な説明】
【００２４】
【図１】この発明の第１の実施形態を示す、トレッドパターンの部分展開図である。
【図２】図１に示すパターンの要部を拡大して示す図である。
【図３】ブロックに設ける浅溝の他の配設例を示す、図１と同様の図である。
【図４】ブロックに設ける浅溝の他の配設例を示す、図１と同様の図である。
【図５】この発明の第２の実施形態を示す、トレッドパターンの部分展開図である。
【図６】比較例タイヤのトレッドパターンを示す部分展開図である。
【図７】実施例タイヤ３のトレッドパターンを示す部分展開図である。
【図８】実施例タイヤ４のトレッドパターンを示す部分展開図である。
【発明を実施するための形態】
【００２５】
以下に図面を参照しつつ、この発明の実施の形態について例示説明する。
図１に示すところにおいて、図中１は、この発明の第１の実施形態の重荷重用空気入りタイヤが具えるトレッド踏面を示す。
なお図示は省略するが、この空気入りタイヤも、一般的な空気入りタイヤと同様に、一対のビード部のそれぞれに埋設した各ビードコアと、それぞれのビード部からサイドウォール部を経てトレッド部まで延在する一枚以上のプライからなる、たとえばラジアル構造のカーカスと、カーカスのタイヤ半径方向外側に配置したベルトと、該ベルトのタイヤ半径方向外側に配設されて、外周側に前記トレッド踏面１を有するトレッドゴム等とを具えてなるものである。
【００２６】
ここで、図１に例示するタイヤでは、トレッド踏面１に、好ましくは、図示のような、トレッド周方向に向かって図の左右に複数箇所で折れ曲がるジグザグ状の形態で、トレッド周方向に連続して延びる、ここでは二本の周溝２と、実質的にトレッド幅方向に延びて、周溝２及び、図示しないトレッド端のそれぞれに開口するラグ溝３とを設けて、トレッド踏面１に、前記周溝２よりトレッド幅方向の外側で、トレッド周方向に互いに隣接するラグ溝３間に、陸部としてのラグ４を区画する。
なお、三本以上設けることもできる周溝は、図示のジグザグ状の延在形態の他、鋸歯状、波形状、クランク状等の延在形態、または、トレッド周方向に沿って直線状に延びる形態等とすることができる。
【００２７】
またここでは、たとえば、トレッド周方向に対する傾斜姿勢で、二本の周溝２，２の相互間を横断して延びて、それらの周溝２，２のそれぞれに開口する横断溝５を設け、該横断溝５により、二本の周溝２，２の相互間でタイヤ赤道面Ｃ上に存在する陸部を、複数個のブロック６に区画する。
【００２８】
そしてこの実施形態では、周溝２，２と横断溝５とで区画される各ブロック６に、該ブロック６に隣接する周溝２の溝深さより浅い平均溝深さを有する、たとえば三本の浅溝７，８，９を設けることとし、該浅溝７〜９の平均溝深さを、周溝２の溝深さの２０％より大きく、かつ、周溝２の溝深さの８０％未満とするとともに、それらの浅溝７〜９の一本以上、図では二本を、隣接する周溝２，２のそれぞれに開口させる。
【００２９】
このことによれば、降雨の後に、固い地盤の上に柔らかい粘土層が形成された路面の走行に際して、ブロック６上に存在する粘土層の泥が、ブロック６に設けた浅溝７〜９内に取り込まれるとともに、浅溝７，９が開口する周溝２ないし横断溝５に流されて、ブロック表面の泥を有効に排除することができるので、トレッド踏面１の泥はけ性を効果的に向上させることができる。
しかも、ブロック６に設けた浅溝７〜９の、ブロック表面の泥を排除する機能により、ブロック表面の蹴出し側部分に泥が残留しないので、その蹴出し側部分でのエッジ効果を十分に発揮させて、当該路面にトラクションフォース及びブレーキングフォースを有効に伝達させることができる。
【００３０】
なお、図示のタイヤのように、二本以上の浅溝７〜９を設ける場合は、該浅溝７〜９の少なくとも一本を、周溝２及び横断溝５の少なくとも一方に開口させるものとし、そして、周溝２、横断溝５のいずれにも開口しない浅溝８は、他の浅溝７，９に開口させることが好ましい。
【００３１】
ここにおいて、ブロック表面で蹴出し側部分に押し出される泥の量は、ブロック６の表面積に比例し、また、浅溝７〜９内に取り込むことのできる泥の量は、浅溝７〜９の総溝面積と溝深さによって決まるので、浅溝による泥はけ性をより有効に向上させるとの観点から、浅溝７〜９の平均溝深さは、周溝２の溝深さの２０％より大きくする。この一方で、浅溝７〜９の溝深さを深くし過ぎると、ブロック６の剛性の低下を招くので、浅溝７〜９の平均溝深さは、周溝２の溝深さの８０％未満とする。
【００３２】
同様の観点からは、図示の平面視で、ブロック６の外周縁に囲まれる領域の面積Ａｂ、すなわち、ブロック６の表面積とブロック６に設けた浅溝７〜９の溝面積とを足し合わせた面積Ａｂと、そのブロックに設ける浅溝７〜９の総溝面積Ａｍとが、Ａｍ／Ａｂ＞０．２０の関係を満たすものとすることが好ましい。これにより、ブロック表面の泥を取り込むための浅溝７〜９の所要の容積を十分に確保することができる。
【００３３】
またここで、ブロック６にこのような浅溝７〜９を設けた場合、タイヤの負荷転動時に、踏込み側の部分から蹴出し側の部分に向けて次第に接地するブロック６の接地時間内に、泥を確実に浅溝７〜９内に取り込むため、図２に拡大図で示すように、ブロック６のトレッド周方向の最大長さＬｂと、浅溝７〜９の、トレッド周方向の最外側に位置するそれぞれの周方向外端点Ｐ１とＰ２の相互間の周方向距離Ｌｍとが、Ｌｍ／Ｌｂ＞０．２５の関係を満たすものとして、浅溝７〜９の、トレッド周方向に沿う延在長さを確保することが好ましい。
【００３４】
なお、図１，２に示すパターンでは、ブロック６内でトレッド周方向の外側に位置する浅溝７，９のそれぞれがともに、トレッド幅方向に沿って延びることから、浅溝７〜９の周方向外端点Ｐ１及びＰ２のそれぞれは、図示のように、各浅溝７，９の、トレッド周方向外側の溝縁上に位置することになる。また、泥濘地の泥は、浅溝７〜９に取り込まれた後は、浅溝７〜９内を自由に流れることができるので、図２に示すように互いに連結された浅溝７〜９の場合は、それらの浅溝７〜９の全体を一つの溝として、前記周方向外端点Ｐ１及びＰ２を求めるものとする。なお、ブロックに、断続的な浅溝も存在する場合は、そのような断続的な浅溝の周方向外端点間の周方向距離、互いに連結された浅溝の周方向外端点間の周方向距離のうち、長いほうの周方向距離をＬｍとする。
上述した「ブロック６のトレッド周方向の最大長さＬｂ」は、ブロック６のトレッド周方向の一方の最外位置Ｄ１から他方の最外位置Ｄ２までを、トレッド周方向に沿って測ったブロック長さを意味する。
【００３５】
またここで、浅溝７〜９の配設によって、エッジの幅方向成分を増加させて、泥濘地の走行に際するトラクション性能及びブレーキング性能を有効に向上させるため、ブロック６のエッジの、トレッド幅方向への投影長さＥｂと、浅溝７〜９のエッジの、トレッド幅方向への投影長さＥｍとが、Ｅｍ／Ｅｂ＞０．８の関係を満たすものとすることが好ましい。
ここでいう、「エッジの、トレッド幅方向への投影長さ」は、所定の向きに延びるエッジの、トレッド幅方向に沿う向きの成分の長さを総計したものを意味する。
【００３６】
ところで、ブロック６に設ける浅溝は、図３（ａ）に示すように、そのブロック６のトレッド周方向の両側のそれぞれに隣接する横断溝５，５の少なくとも一方、ここでは両横断溝５，５に開口する周方向浅溝１０とすることが、ブロック表面の泥を円滑に排除するとの観点から好ましい。なお、図３（ａ）に示すパターンでは、周方向浅溝１０を、タイヤ赤道面Ｃ上でトレッド周方向に沿って延びるものとしている。
ここで、図示は省略するが、両横断溝に開口するこのような周方向浅溝は二本以上設けることが好ましく、また、前記の周方向浅溝に加えて、その周方向浅溝よりもトレッド周方向に対する傾斜角度の大きい幅方向浅溝を設けることが好ましい。
【００３７】
一方、図３（ｂ）に示すように、図示の平面視で平行四辺形状をなすブロック６の略対角線上に延びる周方向浅溝１１を設けることも可能であり、図３（ｂ）に示すところでは、この周方向浅溝１１のトレッド幅方向の両側のそれぞれに、該周方向浅溝１１よりもトレッド周方向に対して僅かに大きく傾斜して周方向浅溝１１と実質的に平行に延びる二本の浅溝１２，１３を設けている。
なお、ブロック６には、図４（ａ）に示すように、トレッド幅方向に対して若干傾斜する向きに延びる浅溝１４を設けることができ、また、図４（ｂ）に示すように、トレッド幅方向と平行に延びる浅溝１５を設けることもできる。
【００３８】
なおここで、トレッドショルダー側のラグ４には、図１、図２、図３（ｂ）、図４（ａ）に示すように、周溝２よりも浅い溝深さ、たとえば、周溝２の溝深さの２０％より大きく、かつ、周溝２の溝深さの８０％未満の平均溝深さで、周溝２に開口する開口溝１６を、ブロック６に設けた浅溝の傾斜の方向とは無関係に、トレッド周方向に対して傾斜する形態で設けることができる他、図３（ａ）、図４（ｂ）に示すように、開口溝１７を、浅溝の傾斜の方向と平行する形態で設けることができる。ラグ４に設けることのできるこのような開口溝１６，１７は、先述した浅溝のように、ラグ表面での泥はけ性の向上に寄与することになる。但し、かかる開口溝１６，１７は、この発明に必須の構成ではない。
【００３９】
以上に述べた実施形態では、ブロック６に、周溝２の、トレッド幅方向内側に突出する折れ曲がり箇所で、ブロック６の外周縁から内側に窪ませた二箇所の凹部１８，１９を設けており、とくに、図１，２に示すパターンでは、各浅溝７，９の一方の端部を、前記凹部１８，１９のそれぞれの形成位置で、周溝２，２ないし横断溝５，５のそれぞれに開口させている。なお、上述した、ブロック６の外周縁に囲まれる領域の面積Ａｂを算出するに当っては、浅溝のみならず、かかる凹部１８，１９をも設けないものとして、図２に仮想線で示すように、ブロック６の外周縁を滑らかに繋ぐことによって、該仮想線とブロック外周縁とで囲まれる領域の面積を求めることにより行うものとする。
【００４０】
図５に示す第２の実施形態は、トレッド踏面２１に、トレッド周方向に向けてジグザグ状に延びる二本の周溝２２，２２と、トレッド端に開口するとともに、前記周溝２２の、トレッド幅方向外側に突出する折れ曲がり箇所で、該周溝２２に開口するラグ溝２３とを設けて、それらの周溝２２及びラグ溝２３によりラグ２４を区画し、また、周溝２２，２２のそれぞれの、トレッド幅方向内側に突出する折れ曲がり箇所で、各周溝２２，２２に開口するとともに、二本の周溝２２間に挟まれる領域を横断して延びる横断溝２５を設けて、周溝２２，２２及び横断溝２５によりブロック２６を区画してなるものである。
【００４１】
ここで、図５に示すところでは、横断溝２５は、一方及び他方の周溝２２，２２のそれぞれの前記折れ曲がり箇所からトレッド幅方向と平行に延びるそれぞれの幅方向延在部分２５ａ，２５ｂ、及び、タイヤ赤道面Ｃの近傍で、それらの幅方向延在部分２５ａ，２５ｂの相互を連結するべく、トレッド幅方向に対して傾斜して延びる傾斜部分２５ｃからなる。そして、図示のこの横断溝２５は、それの延在途中で、幅方向延在部分２５ａ，２５ｂと傾斜部分２５ｃとの各連結位置に、二箇所の屈曲部を有する。なお、横断溝は、一箇所又は、三箇所以上の屈曲部を有するものとすることも可能である。
【００４２】
このような横断溝２５及び周溝２２，２２により区画されて、図示のような異形の多角形状をなすブロック２６には、タイヤ赤道面Ｃを挟んだ両側に、トレッド周方向に対して傾斜するとともに途中で湾曲して延びて、横断溝２５の傾斜部分２５ｃ及び、ジグザグ周溝２２のそれぞれに開口する周方向浅溝２７，２８と、それらの周方向浅溝２７，２８よりもトレッド周方向に対する大きな傾斜角度で、たとえば、トレッド幅方向と平行に延びて、周方向浅溝２７，２８のそれぞれに開口する幅方向浅溝２９とを設けることができる。
ブロック６に設けた上記の周方向浅溝２７，２８及び幅方向浅溝２９は、ブロック表面の泥はけ性の向上及び、エッジの幅方向成分の増加をもたらして、泥濘地の走行性能の向上に寄与することができる。
【００４３】
なお、図５に示すパターンでは、ラグ２４に、周溝２２よりも浅い溝深さ、たとえば、周溝２の溝深さの２０％より大きく、かつ、周溝２の溝深さの８０％未満の平均溝深さで、トレッド幅方向に向けて湾曲して延びて周溝２２に開口する開口溝３０を設けるとともに、ブロック２６のトレッド幅方向外側部分に、周溝２２よりも浅い溝深さで延びて周溝２２に開口する浅溝３１を、前記開口溝３０の、周溝２２への開口箇所に対向させて設けている。
【実施例１】
【００４４】
次に、この発明の空気入りタイヤを試作し、その性能を評価したので以下に説明する。タイヤサイズはいずれの供試タイヤも、２７．００Ｒ４９とした。
【００４５】
実施例タイヤ１〜１０はそれぞれ、図３（ａ）、図７、図８、図４（ｂ）、図４（ａ）、図３（ｂ）、図１及び図５のそれぞれに示すパターンを有するものとした。また、比較例タイヤは、図６に示すパターンを有するものとした。
【００４６】
これらの各供試タイヤにつき、ダンプトラックに装着するとともに、ＴＲＡに準拠する条件の下、同一条件のルートを走行させて、一定時間の経過後に車輌の進んだ距離（移動距離）を、ＧＰＳを用いて実測し、タイヤの回転数から算出される距離（回転距離）との比較によりスリップ率を算出した。このスリップ率は、下記の式により求めることができる。
スリップ率＝（回転距離−移動距離）／移動距離
その結果を、各供試タイヤの諸元とともに表１に示す。なお、表１に示すスリップ性は、上記のスリップ率を、比較例タイヤを基準とする指数値で表したものであり、数値が小さいほどスリップが少なかったことを表す。
【００４７】
また、各供試タイヤを車両に装着して、車両を走行させた後、残溝深さから、溝が１ｍｍ摩耗する際の走行時間を求め、比較例タイヤの該走行時間を１００として指数表示した。指数値が高いほど耐摩耗性に優れていることを示す。
【００４８】
【表１】
2014008904.tif 000003
【００４９】
【表２】
2014008904.tif 000004
【００５０】
表１，２に示す結果から明らかなように、いずれの実施例タイヤ１〜６も、比較例タイヤに比して、耐摩耗性が大幅に悪化することなく、スリップ性が大きく低減されていることから、ブロックに浅溝を設けた実施例タイヤ１〜６では、耐摩耗性能を悪化させるブロック剛性の大幅な低下を招くことなしに、泥はけ性の向上に基いて泥濘地での走行性能を大きく高めることができることが解かる。
【００５１】
ここで、表１，２に示すところでは、実施例タイヤ１よりもＡｍ／Ａｂを大きくした実施例タイヤ２は、実施例タイヤ１に比して、浅溝の溝面積の増大により、スリップ性が低減されている一方で、耐摩耗性は僅かに低下していることが解かる。また、実施例タイヤ１は、実施例タイヤ３よりもＬｍ／Ｌｂが長いことから、浅溝内に効果的に泥を取り込めることによって、実施例タイヤ３よりも耐スリップ性に優れる。そしてまた、Ｅｍ／Ｅｂが実施例タイヤよりも大きい実施例タイヤ４は、浅溝によるエッジ幅方向成分の増加により、実施例タイヤ１よりも優れた耐スリップ性を発揮した。なお、実施例タイヤ９よりも浅溝の平均溝深さを浅くして、ｄ／Ｄを小さくした実施例タイヤ１０は、泥を取り込める浅溝の容積の減少により、実施例タイヤ９ほどの優れた耐スリップ性を発揮し得ないことが解かる。
以上に述べたように、この発明の空気入りタイヤによれば、耐摩耗性を大幅に悪化させることなしに、泥はけ性を有効に向上できることが解かった。
【符号の説明】
【００５２】
１，２１  トレッド踏面
２，２２  周溝
３，２３  ラグ溝
４，２４  ラグ
５，２５  横断溝
２５ａ，２５ｂ  幅方向延在部分
２５ｃ  傾斜部分
６，２６  ブロック
７〜１５，２７〜２９，３１  浅溝
１６，１７，３０  開口溝
１８，１９  凹部
Ｃ  タイヤ赤道面
Ｌｂ  ブロックのトレッド周方向の最大長さ
Ｌｍ  浅溝の周方向距離
Ｐ１，Ｐ２  浅溝の周方向外端点
Ｄ１，Ｄ２  ブロックのトレッド周方向の最外位置
【図１】
2014008904.tif 000005
【図２】
2014008904.tif 000006
【図３】
2014008904.tif 000007
【図４】
2014008904.tif 000008
【図５】
2014008904.tif 000009
【図６】
2014008904.tif 000010
【図７】
2014008904.tif 000011
【図８】
2014008904.tif 000012